(57)【特許請求の範囲】
【請求項１】
水又は温調された混合水を供給するための水栓の吐水管の先端に取り付けられた合成樹脂製キャップの吐水口部に第１整流板を内設すると共に、この吐水口部に水密状態に螺着される合成樹脂製の整流器本体内に、第１網状体と第２網状体とに挟まれた第２整流板を設け、第１整流板と第１網状体との間および第２整流板と第２網状体との間には、所定の間隙が設けられて、第１空間と第２空間が形成されてなることを特徴とする水栓の吐水口用整流器。
【請求項２】
前記第１網状体、第２整流板、第２網状体および整流器本体の各通水部内径を全て同一寸法に設定してなることを特徴とする請求項１に記載の水栓の吐水口用整流器。
【請求項３】
第１整流板が少なくともリブを放射状に配列してなることを特徴とする請求項１または請求項２に記載の水栓の吐水口用整流器。
【請求項４】
前記第２整流板が放射状に配列したリブと同芯状に配列したリング体とを組み合わせてなることを特徴とする請求項１ないし請求項３のいずれかに記載の水栓の吐水口用整流器。
【発明の詳細な説明】
【０００１】
【発明の属する技術分野】
本発明は、水又は温調された混合水を供給するための各種水栓の吐水口用整流器に関する。
【０００２】
【従来の技術】
各種水栓の吐水口用整流器として、例えば、図３に示すように、吐水管２１の先端に装着された合成樹脂製キャップ２２の吐水口部２３内に放射状に配列した整流板２４を設ける一方、シール材２５を介して吐水口部２３に螺着される金属製の整流器本体２６の吐水口２７の内側に段部ｅを形成し、この段部ｅとキャップ側の整流板２４との間で、複数枚の網状部材（図示の従来例では、フチ止め網と称される一枚の網状部材２８と、カシメ網と称される二枚の網状部材２９，２９）を挟着するように構成されたものがある。なお、図３における符号３０は整流板２４と固定するための割りピンである。
【０００３】
【発明が解決しようとする課題】
上述した従来の吐水口用整流器は、飛沫を伴う旋回流になることはほとんどなく、かつ、気泡の吸引による濁りもあまり見られず、整流作用は概ね良好であるが、整流状態が不安定でバラツキがあり、また、旋回流にはならないものの整流状態下における飛び散りや捩れが発生することがあった。あるいは、整流器内の通水部の内径にバラツキがあると、乱流が発生しやすくなる。
【０００４】
本発明は、このような実情に鑑みてなされ、整流作用の安定と向上を図った水栓の吐水口用整流器を提供することを目的としている。
【０００５】
【課題を解決するための手段】
本発明は上述の課題を解決するための手段を以下のように構成している。
すなわち、水又は温調された混合水を供給するための水栓の吐水管の先端に取り付けられた合成樹脂製キャップの吐水口部に第１整流板を内設すると共に、この吐水口部に水密状態に螺着される合成樹脂製の整流器本体内に、第１網状体と第２網状体とに挟まれた第２整流板を設け、第１整流板と第１網状体および第２整流板と第２網状体との間には、所定の間隔が設けられて、第１空間と第２空間が形成されてなることを特徴としている。
【０００６】
以上のような構成によると、吐水管から吐水口部に向けて流れる乱流状態の水（又は湯）は、まず、第１整流板によって一次整流され、旋回流や飛沫の発生原因となる乱流成分が効果的に整流される。次いで、第１空間に至ると水の流速が低下し、かつ、減圧されることにより水が緩衝された後、第１網状体によって万遍なく抵抗が与えられ、水流が緩衝されることによって、さらに乱流成分が低減され水の流れが均一化される。そして、第２整流板によって二次整流され、整流化がほぼ達成され、その後さらに第２空間が減圧緩衝されると共に、第２網状体によっても緩衝されることにより、残っていた乱流成分が低減除去され、かつ、さらに流れが均一化され、旋回流や飛沫のない安定した整流を得ることができる。要するに、本発明では、整流と緩衝を二段階におこなうことによって、より安定に整流を得ることができる。
【０００７】
【０００８】
【０００９】
請求項２に記載の発明では、請求項１に記載の水栓の吐水口用整流器における前記第１網状体、第２整流板、第２網状体および整流器本体の通水部内径を全て同一寸法に設定してなることを特徴としている。
【００１０】
第１網状体以下の各通水部の内径を全て同一寸法とすることにより、通水路が直線的に形成されるため、整流化がより一層促進される。
【００１１】
請求項３に記載の発明では、請求項１ないし請求項２のいずれかに記載の前記第１整流板がリブを放射状に配列してなることを特徴としている。
【００１２】
放射状に配列されたリブによって、旋回流動エネルギーを効果的に低減することができる。
【００１３】
請求項４に記載の発明では、請求項１ないし請求項３のいずれかに記載の前記第２整流板が放射状に配列したリブと同芯状に配列したリング体とを組み合わせてなることを特徴としている。
【００１４】
放射状のリブにリング体を組み合わせたことによって、より一層きめ細かい整流作用を得ることができる。
【００１５】
【発明の実施形態】
以下に本発明の水栓の吐水口用整流器（以下整流器という）の実施形態を図面を参照しつつ詳細に説明する。
図１は整流器の断面図、図２はその分解組立図で、これらの図中、符号１は水又は温調された混合水を供給するための水栓、２はその吐水管、３はその吐水管２の先端に取り付けられた合成樹脂製キャップ、４は吐水管２と合成樹脂キャップ３との間に介装されたＯリングよりなるシール材、５は合成樹脂製キャップに下向きに開設された吐水口部、６はその吐水口部５に内設された第１整流板、７はその第１整流板６を吐水管２に固定するための割り筒状の係止ピン、８は吐水管２に設けた係止孔、９は吐水管２の先端を閉止するための栓体、１０はＯリング１１を介して吐水口部５に螺着された合成樹脂製の整流器本体で、底部に開口１０１を有し、その内部に第１網状体１２と第２整流板１３と第２網状体１４とを保持している。
【００１６】
上述の第１整流板６，第１網状体１２，第２整流板１３，第２網状体１４および開口１０１は全て同一の内径に設定されており、かつ、その第１整流板４と第１網状体１２および第２整流板１３と第２網状体１４との間には、いずれも所定の間隔（1.5 〜２mm程度) が設けられて、第１空間１５と第２空間１６が形成されている。その第１整流板６は、中央部に設けた筒状体６１から放射状に配列された複数のリブ６２にリング体６３，６４を組み合わせてなり、第２整流板１３は中央部に設けた筒状体１３１から放射状に配列された複数のリブ１３２にリング体１３３，１３４を組み合わせてなり、第１網状体１２と第２網状体１４は例えば＃５０メッシュ程度のカシメ網でその周縁部にプレス絞りの立下りカシメ部１２１と立上りカシメ部１４１を有し、第２網状体１４では、その立上りカシメ部１４１により第２整流板１３との間に上述の所定の間隔（1.5 〜２mm）を確保できるようにしている。なお、第１整流板６は、図３に示すような整流板２４であってもよい。
【００１７】
上述のような構成により、吐水管２から吐水口部５に向けて流れ込む乱流状態の水（又は湯）は、まず、第１整流板４によって一次整流され、旋回流や飛沫の発生原因となる乱流成分が効果的に整流される。すなわち、放射方向に設けてたリブ６２、…によって旋回流動エネルギーが効果的に阻止されると共に、筒状体６１，リブ６２，…およびリング体６３，６４が垂直方向に形成されていることによって水の流れ全体が垂直下向きに規制され、効果的に整流される。
【００１８】
次いで、第１空間１５に至ると水の流速が低下し、かつ、減圧されることにより水が緩衝された後、第１網状体１２によって万遍なく抵抗が与えられ、水流が緩衝されることによって、さらに乱流成分が低減され水の流れが均一化される。そして、第２整流板１３によって二次整流され、整流化がほぼ達成され、その後さらに第２空間１６が減圧緩衝されると共に、第２網状体１４によっても緩衝されることにより、残っていた乱流成分が低減除去され、かつ、さらに流れが均一化され、旋回流や飛沫のない安定した整流を得ることができる。
【００１９】
本実施形態では、上述のように、整流と緩衝を二段階におこなうことによって、より確実に整流を得ることができ、また、第１整流板４と第１網状体１２との間に形成した第１空間（間隙）１５と、第２整流板１３と第２網状体１４との間に形成した第２空間（間隙）１６とを設けたことによって、水の流速に変化を与えより一層効果的な緩衝作用が得られる。そして、第１網状体１２以下の各通水部の内径を全て同一寸法とすることによって、整流化がより一層促進される。また、第２整流板１３では、放射状のリブ１３２，…にリング体１３３、１３４，１３５を組み合わせたことによってきめ細かい整流作用を得ることができる。
【００２０】
【発明の効果】
以上説明したように、本発明の水栓の吐水口用整流器によれば、水栓の吐水管の先端に取り付けた合成樹脂製キャップの吐水口部に第１整流板を内設すると共に、第１網状体と第２網状体とに挟まれた第２整流板を内設した整流器本体を前記吐水口部に水密状態に螺着させるので、整流と緩衝が二段階におこなわれ、安定した整流を得ることができる。
【００２１】
また、前記第１整流板と第２網状体との間および第２整流板と第２網状体との間に、所定の間隙を設定して第１空間と第２空間を形成することによって、その間隙部で水の流速を低下させ減圧することができ、緩衝効果がより一層向上する。つまり、第１空間に至ると水の流速が低下し、かつ、減圧されることにより水が緩衝された後、第１網状体によって万遍なく抵抗が与えられ、水流が緩衝されることによって、さらに乱流成分が低減され水の流れが均一化される。そして、第２整流板によって二次整流され、整流化がほぼ達成され、その後さらに第２空間が減圧緩衝されると共に、第２網状体によっても緩衝されることにより、残っていた乱流成分が低減除去され、かつ、さらに流れが均一化され、旋回流や飛沫のない安定した整流を得ることができる。
【００２２】
あるいは、前記第１網状体，第２整流板，第２網状体および整流器本体の通水部内径を全て同一寸法に設定することによって、通水路を直線的に形成することができ、整流化をより一層促進することができる。
【００２３】
さらに、前記第１整流板を少なくともリブを放射状に配列することによって、旋回流動エネルギーを効果的に低減することができる。
【００２４】
また、前記第２整流板を放射状に配列したリブと同芯状に配列したリング体とを組み合わせることによって、より一層きめ細かい整流作用を得ることができる。
【図面の簡単な説明】
【図１】本発明の水栓の吐水口用整流器の一実施形態を示す断面図である。
【図２】同分解斜視図である。
【図３】従来の吐水口用整流器の一例を示す分解斜視図である。
【符号の説明】
１…水栓、２…吐水管、３…合成樹脂製キャップ、５…吐水口部、６…第１整流板、６２…リブ、６３…リング体、１０…整流器本体、１２…第１網状体、１３…第２整流板、１３２…リブ、１３３，１３４…リング体、１４…第２網状体、１５…第１空間、１６…第２空間。
【図１】
0003712096.tif 000002
【図２】
0003712096.tif 000003
【図３】
0003712096.tif 000004